(57)【要約】【課題】横電界の影響による表示品位の低下を抑える。【解決手段】液晶パネル１００は、素子基板１００ａに設けられた画素電極１１８と対向基板１００ｂに設けられたコモン電極１０８とにより液晶１０５が挟持された液晶素子を有する。映像処理回路３０は、一の画素に対して映像信号Ｖid-inで指定される印加電圧が閾値Ｖth1以上閾値Ｖth2未満の電圧範囲であるか否かを判別し、電圧範囲であると判別した場合、当該一の画素に対応する液晶素子への印加電圧を、第１フィールドにあっては電圧範囲よりも低い電圧とし、第２フィールドにあっては電圧範囲よりも高い電圧に、それぞれ置き換える。【選択図】図１
2011107497.tif 000002
【特許請求の範囲】
【請求項１】
複数の画素の各々に対応して画素電極が設けられた第１基板と、コモン電極が設けられ
た第２基板とで液晶を挟持し、前記画素電極、前記液晶および前記コモン電極とで液晶素
子が構成された液晶パネルに対し、
前記画素毎に液晶素子の印加電圧で指定する入力映像信号を処理するとともに、処理し
た出力映像信号に基づいて前記液晶素子の印加電圧をそれぞれ規定する映像処理回路であ
って、
一の画素に対して前記入力映像信号で指定される印加電圧が第１電圧以上第２電圧未満
の電圧範囲であるか否かを判別する判別部と、
前記入力映像信号で指定される印加電圧が前記電圧範囲であると判別された場合、当該
一の画素に対応する液晶素子への電圧の印加を２回以上に分けたうち、当該液晶素子に対
し、時間的に前方では前記電圧範囲よりも低い電圧に置き換え、時間的に後方では電圧を
前記電圧範囲よりも高い電圧に置き換える置換部と、
を備えることを特徴とする映像処理回路。
【請求項２】
前記置換部は、
前記入力映像信号で指定される印加電圧が前記電圧範囲でないと判別された場合、当該
一の画素に対応する液晶素子への印加電圧を、前記入力映像信号で指定される印加電圧と
する
ことを特徴とする請求項１に記載の映像処理回路。
【請求項３】
前記電圧範囲は、
当該電圧範囲に含まれる電圧を前記液晶素子に印加したときに、その印加電圧による縦
電界の応答時間が前記画素電極の間の横電界による応答時間よりも長くなる範囲である
ことを特徴とする請求項２に記載の映像処理回路。
【請求項４】
前記液晶パネルの表示を更新する時間間隔をＳとし、
前記液晶素子の応答時間をＴとした場合に、
前記電圧範囲は、
Ｓ＜Ｔ
を満たす範囲である
ことを特徴とする請求項３に記載の映像処理回路。
【請求項５】
前記電圧範囲よりも低い電圧、および、前記電圧範囲よりも高い電圧は、いずれも
当該電圧を前記液晶素子に印加したときに、その印加電圧による縦電界の応答時間が前
記画素電極の間の横電界による応答時間以下である
ことを特徴とする請求項２に記載の映像処理回路。
【請求項６】
前記液晶パネルの表示を更新する時間間隔をＳとし、
前記液晶素子の応答時間をＴとした場合に、
前記電圧範囲よりも低い電圧、および、前記電圧範囲よりも高い電圧は、いずれも
Ｓ≧Ｔ
を満たすことを特徴とする請求項５に記載の映像処理回路。
【請求項７】
複数の画素の各々に対応して画素電極が設けられた第１基板と、コモン電極が設けられ
た第２基板とで液晶を挟持し、前記画素電極、前記液晶および前記コモン電極とで液晶素
子が構成された液晶パネルに対し、
前記画素毎に液晶素子の印加電圧を指定する入力映像信号を処理するとともに、処理し
た出力映像信号に基づいて前記液晶素子の印加電圧をそれぞれ規定する映像処理方法であ
って、
一の画素に対して前記入力映像信号で指定される印加電圧が第１電圧以上第２電圧未満
の電圧範囲であるか否かを判別し、
前記入力映像信号で指定される印加電圧が前記電圧範囲であると判別した場合、当該一
の画素に対応する液晶素子への電圧の印加を２回以上に分けたうち、当該液晶素子に対し
、時間的に前方では前記電圧範囲よりも低い電圧に置き換え、時間的に後方では電圧を前
記電圧範囲よりも高い電圧に置き換える
ことを特徴とする映像処理方法。
【請求項８】
複数の画素の各々に対応して画素電極が設けられた第１基板と、コモン電極が設けられ
た第２基板とで液晶を挟持し、前記画素電極、前記液晶および前記コモン電極とで液晶素
子が構成された液晶パネルと、
前記画素毎に液晶素子の印加電圧を指定する入力映像信号を処理するとともに、処理し
た出力映像信号に基づいて前記液晶素子の印加電圧をそれぞれ規定する映像処理回路と、
を有し、
前記映像処理回路は、
一の画素に対して前記入力映像信号で指定される印加電圧が第１電圧以上第２電圧未満
の電圧範囲であるか否かを判別する判別部と、
前記入力映像信号で指定される印加電圧が前記電圧範囲であると判別された場合、当該
一の画素に対応する液晶素子への電圧の印加を２回以上に分けたうち、当該液晶素子に対
し、時間的に前方では前記電圧範囲よりも低い電圧に置き換え、時間的に後方では電圧を
前記電圧範囲よりも高い電圧に置き換える置換部と、
を備えることを特徴とする液晶表示装置。
【請求項９】
請求項８に記載された液晶表示装置を有することを特徴とする電子機器。
【発明の詳細な説明】
【技術分野】
【０００１】
本発明は、液晶パネルにおける表示上の不具合を低減する技術に関する。
【背景技術】
【０００２】
液晶パネルは、一定の間隙に保たれた一対の基板によって液晶を挟持した構成である。
詳細には、液晶パネルでは、画素毎に画素電極がマトリクス状に配列した第１基板と、コ
モン電極が各画素にわたって共通となるように設けられた第２基板とで液晶が挟持されて
、画素電極と液晶とコモン電極とによって液晶素子が構成される。液晶素子において、画
素電極とコモン電極との間で階調レベルに応じた電圧を印加・保持させると、液晶の配向
状態が画素毎に規定され、これにより、透過率または反射率が制御される。したがって、
上記構成では、液晶分子に作用する電界のうち、画素電極からコモン電極に向かう方向（
またはその反対方向）、すなわち、基板面に対して垂直方向（縦方向）の成分だけが、表
示制御に寄与する、ということができる。
【０００３】
ところで、近年のように小型化、高精細化のために画素ピッチが狭くなると、互いに隣
接する画素電極同士で生じる電界、すなわち基板面に対して平行方向の横電界が生じて、
その影響が無視できなくなりつつある。例えばＶＡ（Vertical Alignment）方式や、ＴＮ
（Twisted Nematic）方式などのように縦方向の電界により駆動されるべき液晶に対して
、横電界が加わると、液晶の配向不良（リバースチルト）が発生し、表示上の不具合が発
生する場合が生じた。
このため、例えば映像信号を画像解析して、リバースチルトが発生しやすい画像を識別
するとともに、当該画像が識別されたときには、設定値以上の映像信号を一律にクリップ
して液晶素子の印加電圧を調整する技術（例えば特許文献１参照）が提案されている。
【先行技術文献】
【特許文献】
【０００４】
【特許文献１】特開２００９−６９６０８号公報（図２）
【発明の概要】
【発明が解決しようとする課題】
【０００５】
しかしながら、上記技術では、映像信号をフレーム毎に解析する必要があるので、映像
処理回路の大規模化や複雑化を招きやすい。
本発明は、上述した事情に鑑みてなされたもので、その目的の一つは、映像処理回路の
大規模化や複雑化などを抑えつつ、リバースチルトドメインに起因する表示上の不具合の
発生を低減させる技術を提供することにある。
【課題を解決するための手段】
【０００６】
上記目的を達成するために、本発明に係る映像処理回路にあっては、複数の画素の各々
に対応して画素電極が設けられた第１基板と、コモン電極が設けられた第２基板とで液晶
を挟持し、前記画素電極、前記液晶および前記コモン電極とで液晶素子が構成された液晶
パネルに対し、前記画素毎に液晶素子の印加電圧で指定する入力映像信号を処理するとと
もに、処理した出力映像信号に基づいて前記液晶素子の印加電圧をそれぞれ規定する映像
処理回路であって、一の画素に対して前記入力映像信号で指定される印加電圧が第１電圧
以上第２電圧未満の電圧範囲であるか否かを判別する判別部と、前記入力映像信号で指定
される印加電圧が前記電圧範囲であると判別された場合、当該一の画素に対応する液晶素
子への電圧の印加を２回以上に分けたうち、当該液晶素子に対し、時間的に前方では前記
電圧範囲よりも低い電圧に置き換え、時間的に後方では電圧を前記電圧範囲よりも高い電
圧に置き換える置換部と、を備えることを特徴とする。本発明によれば、画素に対して入
力映像信号で指定される印加電圧が第１電圧以上第２電圧未満の電圧範囲であるか否かを
判別して、置き換えるだけの処理で済み、画像解析が必要でなくなるので、映像処理回路
の大規模化や複雑化などを抑えることが可能となる。
【０００７】
本発明において、前記置換部は、前記入力映像信号で指定される印加電圧が前記電圧範
囲でないと判別された場合、当該一の画素に対応する液晶素子への印加電圧を、前記入力
映像信号で指定される印加電圧とする構成としても良い。この構成によれば、入力映像信
号で指定される印加電圧が前記電圧範囲でなければ、置き換わることなく、指定される電
圧が液晶素子に印加される。
このとき、前記電圧範囲は、当該電圧範囲に含まれる電圧を前記液晶素子に印加したと
きに、その印加電圧による縦電界の応答時間が前記画素電極の間の横電界による応答時間
よりも長くなる範囲であることが好ましい。詳細には、前記液晶パネルの表示を更新する
時間間隔をＳとし、前記液晶素子の応答時間をＴとした場合に、前記電圧範囲は、Ｓ＜Ｔ
を満たす範囲であることが好ましい。
一方、前記電圧範囲よりも低い電圧、および、前記電圧範囲よりも高い電圧は、いずれ
も当該電圧を前記液晶素子に印加したときに、その印加電圧による縦電界の応答時間が前
記画素電極の間の横電界による応答時間以下であることが好ましい。詳細には、前記液晶
パネルの表示を更新する時間間隔をＳとし、前記液晶素子の応答時間をＴとした場合に、
前記電圧範囲よりも低い電圧、および、前記電圧範囲よりも高い電圧は、いずれもＳ≧Ｔ
を満たすことが好ましい。
なお、本発明は、映像処理回路のほか、映像処理方法、液晶表示装置および当該液晶表
示装置を含む電子機器としても概念することが可能である。
【図面の簡単な説明】
【０００８】
【図１】実施形態に係る映像処理回路を適用した液晶表示装置を示す図である。
【図２】同液晶表示装置における液晶素子の等価回路を示す図である。
【図３】同映像処理回路の構成を示す図である。
【図４】同映像処理回路におけるＬＵＴの記憶内容を示す一例である。
【図５】同映像処理回路の動作を示すフローチャートである。
【図６】同液晶パネルの表示動作を示す図である。
【図７】同液晶パネルのＶ−Ｔ特性を示す図である。
【図８】同映像処理回路における問題点の解決を示す図である。
【図９】液晶表示装置を適用したプロジェクターを示す図である。
【図１０】チルト角（小）において発生するリバースチルトを示す図である。
【図１１】リバースチルトの発生に起因する表示品位低下を示す図である。
【図１２】チルト角（大）におけるリバースチルトの低減を説明するための図である。
【図１３】チルト角（大）における問題点の説明図である。
【発明を実施するための形態】
【０００９】
＜実施形態＞
以下、本発明の実施形態について図面を参照して説明する。
図１は、本実施形態に係る映像処理回路を適用した液晶表示装置の全体構成を示すブロ
ック図である。
この図に示されるように、液晶表示装置１は、制御回路１０と、液晶パネル１００と、
走査線駆動回路１３０と、データ線駆動回路１４０とを有する。
このうち、制御回路１０には、上位装置から映像信号Ｖid-in（入力映像信号）が同期
信号Ｓyncに同期して供給される。映像信号Ｖid-inは、液晶パネル１００における各画素
の階調レベルをそれぞれ指定するデジタルデータであり、同期信号Ｓyncに含まれる垂直
走査信号、水平走査信号およびドットクロック信号（いずれも図示省略）にしたがった走
査の順番で供給される。なお、映像信号Ｖid-inは、階調レベルを指定するが、階調レベ
ルに応じて液晶素子の印加電圧が定まるので、映像信号Ｖid-inは、液晶素子の印加電圧
を指定するものといって差し支えない。
【００１０】
制御回路１０は、走査制御回路２０と映像処理回路３０とにより構成される。このうち
、走査制御回路２０は、各種の制御信号を生成するとともに、同期信号Ｓyncに同期して
各部を制御する。映像処理回路３０は、詳細については後述するが、デジタルの映像信号
Ｖid-inを処理して、アナログのデータ信号Ｖxを出力するものである。
【００１１】
液晶パネル１００は、素子基板（第１基板）１００ａと対向基板（第２基板）１００ｂ
とが一定の間隙を保って貼り合わせられるとともに、この間隙に、縦方向の電界で駆動さ
れる液晶１０５が挟持された構成となっている。
素子基板１００ａのうち、対向基板１００ｂとの対向面には、複数ｍ行の走査線１１２
が図において水平（Ｘ）方向に沿って設けられる一方、複数ｎ列のデータ線１１４が、垂
直（Ｙ）方向に沿って、かつ、各走査線１１２と互いに電気的に絶縁を保つように設けら
れている。
なお、本実施形態では、走査線１１２を区別するために、図において上から順に１、２
、３、…、（ｍ−１）、ｍ行目という呼び方をする場合がある。同様に、データ線１１４
を区別するために、図において左から順に１、２、３、…、（ｎ−１）、ｎ列目という呼
び方をする場合がある。
【００１２】
素子基板１００ａでは、さらに、走査線１１２とデータ線１１４との交差のそれぞれに
対応して、ｎチャネル型のＴＦＴ１１６と矩形形状で透明性を有する画素電極１１８との
組が設けられている。ＴＦＴ１１６のゲート電極は走査線１１２に接続され、ソース電極
がデータ線１１４に接続され、ドレイン電極が画素電極１１８に接続されている。
一方、対向基板１００ｂのうち、素子基板１００ａとの対向面には、透明性を有するコ
モン電極１０８が全面にわたって設けられる。そして、コモン電極１０８には、図示省略
した回路によって電圧ＬＣcomが印加される。
なお、図１において、素子基板１００ａの対向面は紙面裏側であるので、当該対向面に
設けられる走査線１１２、データ線１１４、ＴＦＴ１１６および画素電極１１８について
は、破線で示すべきであるが、見難くなるので、それぞれ実線で示している。
【００１３】
図２は、液晶パネル１００の等価回路を示す図である。この図に示されるように、走査
線１１２とデータ線１１４との交差に対応して、画素電極１１８とコモン電極１０８とで
液晶１０５を挟持した液晶素子１２０が配列した構成である。
また、図１では省略したが、液晶パネル１００における等価回路では、実際には図２に
示されるように、液晶素子１２０に対して並列に補助容量（蓄積容量）１２５が設けられ
る。この補助容量１２５は、一端が画素電極１１８に接続され、他端が容量線１１５に共
通接続されている。容量線１１５は時間的に一定の電圧に保たれている。
このような構成において、走査線１１２がＨレベルになると、当該走査線にゲート電極
が接続されたＴＦＴ１１６がオン状態になり、画素電極１１８が当該オン状態にあるＴＦ
Ｔ１１６を介してデータ線１１４に接続される。このため、走査線１１２がＨレベルであ
るときに、データ線１１４に対し、階調に応じた電圧のデータ信号を供給すると、当該デ
ータ信号は、オン状態にあるＴＦＴ１１６を介して画素電極１１８に印加される。走査線
１１２がＬレベルになると、ＴＦＴ１１６はオフ状態になるが、画素電極に印加された電
圧は、液晶素子１２０の容量性および補助容量１２５によって保持される。
周知のように、液晶素子１２０では、画素電極１１８およびコモン電極１０８によって
生じる電界に応じて液晶１０５の配向状態が変化するので、液晶素子１２０は、透過型で
あれば、印加・保持電圧に応じた透過率となる。
液晶パネル１００では、液晶素子１２０毎に透過率が変化するので、液晶素子１２０が
画素に相当する。そして、この画素の配列領域が表示領域１０１となる。なお、本実施形
態において、液晶１０５をＶＡ方式として、液晶素子１２０の透過率が電圧無印加時にお
いて最低の黒状態となるノーマリーブラックモードとする。
【００１４】
本実施形態では、同期信号Ｓyncに含まれる垂直走査信号にしたがって供給される映像
信号Ｖid-inに対し、液晶パネル１００を、映像信号Ｖid-inの供給速度の２倍であって２
回に分けて駆動する、いわゆる２倍速駆動としている。このため、走査線駆動回路１３０
は、走査制御回路２０による制御信号Ｙctrにしたがって、図６（ａ）に示されるように
、フレームを２つにわけた第１フィールドと第２フィールドとの各々において、それぞれ
１、２、３、…、ｍ行目の走査線１１２に、走査信号Ｙ1、Ｙ2、Ｙ3、…、Ｙmを供給する
。詳細には、走査線駆動回路１３０は、各フィールドにおいて走査線１１２を１、２、３
、…、ｍ行目という順番で選択するとともに、選択した走査線への走査信号を選択電圧Ｖ
Ｈ（Ｈレベル）とし、それ以外の走査線への走査信号を非選択電圧ＶＬ（Ｌレベル）とす
る。
なお、本実施形態では、垂直走査信号の周波数を６０Ｈｚとする。このため、映像信号
Ｖid-inに基づく画像が１コマ分供給されるフレームは、本実施形態では、垂直走査信号
の周波数の逆数である１６．７ミリ秒となり、フィールドは、その半分の８．３５ミリ秒
となる。
【００１５】
データ線駆動回路１４０は、映像処理回路３０から供給されるデータ信号Ｖxを、走査
制御回路２０による制御信号Ｘctrにしたがって１〜ｎ列目のデータ線１１４にデータ信
号Ｘ1〜Ｘnとしてサンプリングする。
本説明では、電圧について、液晶素子１２０の印加電圧を除き、特に明記しない限り図
示省略した接地電位を電圧ゼロの基準とする。液晶素子１２０の印加電圧は、コモン電極
１０８の電圧ＬＣcomと画素電極１１８との電位差であり、他の電圧と区別するためであ
る。また、直流成分の印加による液晶１０５の劣化を防止するために、液晶素子１２０に
ついては交流駆動が実行される。
詳細には、画素電極１１８には、振幅中心である電圧Ｖcntに対して高位側の正極性電
圧と低位側の負極性電圧とに例えばフィールド毎に交互に切り替えられて印加される。こ
のような交流駆動において、本実施形態では、同一フィールド内において各液晶素子１２
０の書き込み極性をすべての同一とする面反転方式としている。
【００１６】
図６（ｂ）は、映像処理回路３０から出力されるデータ信号Ｖxの一例を示す電圧波形
図であり、第１フィールドおよび第２フィールドの各々において、１行１列〜１行ｎ列の
データ信号Ｖxを示している。本実施形態では、ノーマリーブラックモードとしているの
で、データ信号Ｖxは、第１フィールドにおいて正極性が指定されるのであれば、基準電
圧Ｖcntに対し、映像処理回路３０によって処理された階調レベルが高くなるにつれて（
明るくなるにつれて）高位側の電圧（図において↑で示す）になり、第２フィールドにお
いて負極性が指定されるのであれば、基準電圧Ｖcntに対し、階調レベルに応じた分だけ
低位側の電圧（図において↓で示す）になる。
詳細には、データ信号Ｖxの電圧は、正極性であれば、黒に相当する電圧Ｖcntから白に
相当する電圧Ｖw(+)までの範囲で、一方、負極性であれば、電圧cntから白に相当する電
圧Ｖw(-)までの範囲で、それぞれ電圧Ｖcntから階調レベルに応じた分だけ偏位させた電
圧となる。また、電圧Ｖw(+)およびＶw(-)については、電圧Ｖcntを中心に互いに対称の
関係にある。
なお、コモン電極１０８に印加される電圧ＬＣcomは、電圧Ｖcntとほぼ同電圧と考えて
よい。ただし、ｎチャネル型のＴＦＴ１１６のオフリークや、いわゆるプッシュダウンな
どを考慮して、電圧Ｖcntよりも低位となるように調整されることがある。また、ノーマ
リーブラックモードの黒に相当する電圧については、正極性では、電圧Ｖcntよりも若干
高位側の電圧とし、負極性では、電圧Ｖcntよりも若干低位側の電圧に設定されることも
ある。
図６（ｂ）は、データ信号Ｖxの電圧波形を示すものであって、液晶素子１２０に印加
される電圧（画素電極１１８とコモン電極１０８との電位差）とは異なる。また、図６（
ｂ）におけるデータ信号の電圧の縦スケールは、（ａ）における走査信号等の電圧波形と
比較して拡大してある。
【００１７】
さて、本実施形態はノーマリーブラックモードであるから、液晶素子１２０の印加電圧
と透過率との関係は、図７（ａ）に示されるようなＶ（電圧）−Ｔ（透過率）特性で表さ
れる。なお、図７（ａ）では、最低透過率を０％に、最高透過率を１００％に、それぞれ
正規化している。
ここで、液晶素子１２０を、映像信号Ｖid-inで指定された階調レベルに応じた透過率
とさせるには、当該階調レベルに応じた電圧を、当該液晶素子に印加すれば良いはずであ
る。しかしながら、液晶素子１２０の印加電圧を、映像信号Ｖid-inで指定される階調レ
ベルに応じて単に規定するだけでは、リバースチルトドメインに起因する表示上の不具合
が発生してしまう場合がある。
【００１８】
そこで次に、リバースチルトドメインがどのようにして発生するかについて、印加電圧
がゼロである場合に、ＶＡ方式の液晶分子のチルト角が小（ほぼゼロ）である例にとって
説明する。
まず、この初期配向状態となる液晶パネルにおいて、図１０（ａ）に示されるように、
（ｎ−１）フレームにおいて互いに隣接する２画素がいずれも黒レベルの画素（黒画素）
の状態から、次のｎフレームにおいて、例えば左の画素だけが白レベルの画素（白画素）
に変化するときを想定する。
なお、この想定においては、便宜上、２倍速駆動ではなく、同期信号Ｓyncに含まれる
垂直走査信号にしたがって供給される等速駆動で説明する。
【００１９】
図１０（ｂ）は、液晶パネル１００を、図１０（ａ）におけるｐ−ｑ線を含む基板垂直
面で破断したときの簡易断面図であり、左の画素電極１１８（Ｗt）に、白レベルの電圧
が印加された直後を示す図である。
コモン電極１０８に７Ｖ（ボルト）の電圧が印加されているものとすると、ｎフレーム
において、右側の黒画素の画素電極１１８（Ｂk）にも例えば７Ｖが印加される。これは
、液晶素子の印加電圧でみたときに（ｎ−１）フレームの０Ｖから変化していない。液晶
素子の印加電圧が０Ｖであるので、液晶分子は、その長軸方向が基板垂直方向に沿った方
向となるように配向する。
一方、ｎフレームにおいて、左側の白画素となる画素電極１１８（Ｗt）には例えば白
レベルの１２Ｖが印加される。これは、液晶素子の印加電圧でみたときに、（ｎ−１）フ
レームの０Ｖから５Ｖに変化することを意味する。このため、液晶分子は、実線で示され
る状態から破線で示される状態に、詳細には、画素電極１１８とコモン電極１０８との間
の電界（縦電界）がゼロのときの初期配向状態から、当該電界の垂直方向（基板面の水平
方向）に、傾斜しようとする。しかしながら、液晶分子は、直前の配向状態がほぼ基板垂
直方向であるため、縦電界に応じて傾斜すべき方向が瞬時には規定されない。このため、
黒から白に変化すべき画素において、縦電界の強度に応じた傾斜角度となるまでに時間が
かかりやすい。
それにもまして、画素電極１１８（Ｗt、Ｂk）の間隙で生じる電位差は、白画素の画素
電極１１８（Ｗt）とコモン電極１０８との間で生じる電位差と同程度である上に、画素
電極同士の間隙が画素電極１１８とコモン電極１０８との間隙よりも狭いので、電界の強
度で比較したときに、画素電極１１８（Ｗt）と画素電極１１８（Ｂk）との間隙で生じる
横電界は、画素電極１１８（Ｗt）とコモン電極１０８との間隙で生じる縦電界よりも強
い。
したがって、ｎフレームにおいて白になろうとしている画素では、黒画素に隣接する側
の液晶分子Ｒvが、縦電界にしたがって傾斜しようとする他の液晶分子よりも時間的に先
んじてリバースチルト状態となる。先にリバースチルト状態となった液晶分子Ｒvは、縦
電界の強度にしたがって破線のように基板水平方向に傾斜しようとする他の多くの液晶分
子の動きに悪影響を与える結果、白となるべき画素が白くならない、という事態を招くこ
とになる。これが、リバースチルトドメインに起因する表示上の不具合である。
【００２０】
このような表示上の不具合の例について説明すると、映像信号Ｖid-inで示される画像
が例えば図１１に示されるように、白画素を背景として黒画素が連続する黒パターンがフ
レーム毎に１画素ずつ右方向に移動する場合に、その黒パターンの左端縁部（動きの後縁
部）において黒画素から白画素に変化すべき画素がリバースチルトドメインの発生によっ
て白画素にならない、という一種の尾引き現象として顕在化する。
なお、図１１について見方を変えると、黒画素を背景として白画素が連続する白パター
ンがフレーム毎に１画素ずつ右方向に移動する場合に、その白パターンの右端縁部（動き
の先端部）において黒画素から白画素に変化すべき画素がリバースチルトドメインの発生
によって白画素にならない、ということもできる。また、同図においては、説明の便宜上
、画像のうち、１ラインの境界付近を抜き出している。
【００２１】
ところで、縦電界の強度にしたがって傾斜しようとする液晶分子の多くが、横電界の影
響を受けるのは、その応答が遅いためである。このため、液晶分子の応答を改善するため
に、液晶分子にプレチルト角を与える対策が考えられた。詳細には、配向膜の改質やラビ
ング処理の改善などによって、図１０（ｃ）に示されるように、液晶素子の印加電圧が０
Ｖであっても、液晶分子の長軸方向が基板垂直方向から傾いた状態とさせる。これによっ
て、液晶分子にとってみれば、縦電界の強度に応じて傾斜すべき方向が規定されているの
で、応答が改善される。したがって、黒から白になろうとしている画素において、多くの
液晶分子が縦電界の強度に応じて速やかに傾斜するので、強い横電界が発生しても、リバ
ースチルトの発生を少ない領域に抑えることができる。
【００２２】
しかしながら、液晶分子にプレチルト角を与える対策を施した場合に、図１２（ａ）に
示されるように、白から黒へと直接的に変化するのではなく、一旦、白から黒へ特定の中
間階調を経由して変化するときに、リバースチルトドメインが発生してしまうことがあっ
た。詳細には、（ｎ−１）フレームにおいて互いに隣接する２画素がいずれも黒画素であ
り、次のｎフレームにおいて、例えば左の画素だけが中間階調の画素（灰画素）に変化し
た後に、（ｎ＋１）フレームにおいて白画素となるときである。このとき、ｎフレームに
おいて灰画素の画素電極１１８（Ｇry）には例えば９Ｖが印加される。これにより、液晶
素子の印加電圧でみたときに、（ｎ−１）フレームの０Ｖから２Ｖに変化する。
ここで、０Ｖから２Ｖへの印加電圧の変化は、０Ｖから５Ｖへの変化と比較して、電界
がかかっていない状態から、わずかに電界がかかった状態への変化に過ぎず、変化後にお
いても縦電界が弱い。このため、印加電圧が０Ｖから２Ｖへの変化しても、液晶分子の応
答は遅い。
一方、画素電極１１８（Ｇry、Ｂk）の間隙で生じる電位差は、灰画素の画素電極１１
８（Ｇry）とコモン電極１０８との間で生じる電位差と同程度であるが、画素電極同士の
間隙が狭い。
したがって、図１２（ｂ）に示されるように、ｎフレームにおいて灰となるべき画素で
は、隣接する黒画素からの横電界が縦電界よりも強くなる。このため、灰となるべき画素
において黒画素に隣接する側の液晶分子Ｒvは、縦電界にしたがって傾斜しようとする他
の液晶分子よりも時間的に先んじてリバースチルト状態となってしまう。
なお、この灰となるべき画素は、次の（ｎ＋１）フレームにおいて、印加電圧が５Ｖに
変化して白画素になろうとする。しかしながら、ｎフレームにおいて一部がすでにリバー
スチルトドメインとなっているので、引き続き（ｎ＋１）フレームにおいて、印加電圧が
５Ｖに変化したときの縦電界に応じて液晶分子が傾斜しようとする動きを妨害する結果、
リバースチルトドメインが残存することになる。
また、ｎフレームにおいて左側の画素において、画素電極（Ｇry)には、コモン電極１
０８の７Ｖよりも高位の９Ｖが印加されているので、（ｎ＋１）フレームでは、極性反転
によって負側の２Ｖの電圧が印加される。なお、説明の簡略化のために極性反転を考慮し
なければ、１２Ｖの電圧が印加されるとしても良い。
【００２３】
このようなリバースチルト状態による表示上の不具合は、図１３に示されるような現象
として顕在化する。すなわち、この図に示されるように、白画素を背景として黒画素が連
続する黒パターンが、その白と黒画素との間において特定の中間階調を１画素として挟み
ながら、フレーム毎に１画素ずつ右方向に移動する場合に、その中間階調および白の画素
がリバースチルトドメインの発生によって目的とする階調にならない、という一種の尾引
き現象として顕在化する。なお、図１３について見方を変えた場合については、図１１の
場合と同様である。
【００２４】
ここでいう特定の中間階調とは、その液晶素子の印加電圧が、図７（ａ）に示されるよ
うに、閾値Ｖth1（第１電圧）以上であって閾値Ｖth2（第２電圧）未満となるような電圧
範囲Ａに相当する階調範囲ａである。電圧範囲Ａ（階調範囲ａ）は、液晶パネル１００の
様々なパラメータによって異なり、一概にはいえないが、ノーマリーブラックモードにお
ける黒レベルの印加電圧をＶbkとし、白レベルの印加電圧をＶwtとしたときに、０≦Ｖbk
＜Ｖth1＜Ｖth2＜Ｖwtを満たすものである。
なお、この階調範囲ａ（電圧範囲Ａ）の意義については後述する。
【００２５】
したがって、ある画素について、映像信号Ｖid-inで指定される階調レベルが階調範囲
ａであって、当該画素に相当する液晶素子の印加電圧が電圧範囲Ａとなってしまう場合に
、当該液晶素子の印加電圧が電圧範囲Ａとはならないように、別の電圧に置き換える構成
（検討案の構成）を採用すれば、リバースチルトドメインの発生を事前に抑えることが可
能と考えられる。
しかしながら、検討案の構成では、リバースチルトドメインの発生を抑えることが可能
にはなるが、映像信号Ｖid-inで指定される階調レベルが階調範囲ａに含まれる場合に、
当該階調レベルを液晶パネル１００で表現することができないことになる。
そこで、本実施形態では、フレームを第１フィールドと第２フィールドとの２つに分け
て２倍速駆動とするとともに、映像信号Ｖid-inで指定される階調レベルが階調範囲ａに
含まれる場合に当該階調レベルを、第１フィールドでは当該階調範囲ａよりも暗い階調範
囲ｂに含まれる階調レベルに置き換え、第２フィールドでは当該階調範囲ａよりも明るい
階調範囲ｃに含まれる階調レベルに置き換えて、第１フィールドおよび第２フィールドに
わたった時間平均でみたときに、階調範囲ａに含まれる階調レベルとなるような構成とし
た。これによって本実施形態では、リバースチルトドメインの発生を抑えるとともに、映
像信号Ｖid-inで指定される階調レベルが階調範囲ａに含まれる場合であっても、当該階
調レベルを液晶パネル１００で表現すること可能になる。
このための構成が図１における映像処理回路３０である。そこで次に、映像処理回路３
０について詳細に説明する。
【００２６】
図３は、映像処理回路３０の構成を示すブロック図である。この図に示されるように、
映像処理回路３０は、バッファー３０２、判別部３０４、ＬＵＴ（ルックアップテーブル
）３０６、選択部３０８およびＤ／Ａ変換器３１０を有する。
このうち、バッファー３０２は、上位装置から同期信号Ｓyncにしたがった速度で供給
される映像信号Ｖid-inを一旦蓄積した後に、供給速度の２倍で読み出す動作を、第１フ
ィールドおよび第２フィールドでそれぞれ実行して、映像信号Ｖidとして出力するもので
ある。なお、バッファー３０２における蓄積および読出は、走査制御回路２０によって制
御される。
【００２７】
判別部３０４は、映像信号Ｖidで指定される階調レベルが階調範囲ａに含まれているか
否かを判別して、その判別結果に応じて選択部３０８における入力端の選択を制御する。
また、判別部３０４は、映像信号Ｖidで指定される階調レベルが階調範囲ａに含まれてい
れば、当該映像信号ＶidをＬＵＴ３０６に転送する。
さらに、判別部３０４は、当該映像信号ＶidをＬＵＴ３０６に転送するときに、当該映
像信号Ｖidが第１フィールドまたは第２フィールドのいずれかに対応してバッファー３０
２から読み出されたものであるかについて、情報ｆnから特定して、ＬＵＴ３０６に通知
する。
なお、バッファー３０２における蓄積および読出は、走査制御回路２０によって制御さ
れるので、情報ｆnは、当該走査制御回路２０から取得可能である。
また、バッファー３０２では、等速度での蓄積に対して２倍速の読み出しが追いついて
しまわないように、おおよそ半フレーム分の映像信号Ｖid-inを蓄積した後に、読み出し
が開始する構成となっている。このため、バッファー３０２から読み出される映像信号Ｖ
idで規定されるフレームは、上位装置から供給される映像信号Ｖid-inで規定されるフレ
ームに対して遅延した関係となり、厳密にいえば、両者のフレームは一致しないことにな
るが、以降については特に区別しないで説明する。
【００２８】
ＬＵＴ３０６は、図４に示されるように、階調範囲ａに含まれる階調レベルａ1、ａ2、
ａ3、…、ａmaxの各々に対して、第１フィールドで置き換えるべき階調レベルと第２フィ
ールドで置き換えるべき階調レベルとのセットを予め記憶するものである。ＬＵＴ３０６
では、判別部３０４から当該映像信号Ｖidが転送されたときに、当該映像信号Ｖidで指定
される階調レベルに対応した値のうち、通知されたフィールドに対応する値が読み出され
る構成となっている。
また、ＬＵＴ３０６において、第１フィールドで置き換えるべき階調レベルは階調範囲
ｂに含まれ、第２フィールドで置き換えるべき階調レベルは階調範囲ｃに含まれて、いず
れも、時間的な平均でみたときに、映像信号Ｖidで指定された階調レベルとなるような値
であり、予め実験等によって求められたものが用いられる。
図４において、ＬＵＴ３０６に記憶された階調レベルｂ1、ｃ12、ｃ14、ｃ16、…、ｃj
、…、ｃkは、このようにして求められた値の一例であり、明るさ（透過率）でみたとき
の大小関係は、ノーマリーブラックモードであることを考慮すると、（ｂ1）＜ｃ12＜ｃ1
4＜ｃ16＜ｃj＜ｃkである。
【００２９】
選択部３０８は、入力端ａまたは入力端ｂのいずれかを、判別部３０４の判別結果に応
じて選択して出力するものである。詳細には、選択部３０８は、入力端ａにＬＵＴ３０６
から読み出された値が供給され、入力端ｂに映像信号Ｖidが供給されるとともに、映像信
号Ｖidで指定される階調レベルが階調範囲ａに含まれている旨が判別部３０４によって判
別された場合に入力端ａを選択し、それ以外の場合では入力端ｂを選択して、映像信号Ｖ
id-out（出力映像信号）として出力するものである。
【００３０】
Ｄ／Ａ変換器３１０は、デジタルデータである映像信号Ｖid-outを、アナログのデータ
信号Ｖxに変換する。上述したように、本実施形態では、面反転方式としているので、デ
ータ信号Ｖxは、例えば情報ｆnによって第１フィールドが指定されていれば正極性に変換
され、第２フィールドが指定されていれば負極性に変換されて、フィールド毎に極性が切
り替えられる構成となっている。
【００３１】
次に、映像処理回路３０の動作について判別部３０４を中心にしつつ、図５を参照して
説明する。
まず、ステップＳ１において、判別部３０４は、バッファー３０２から映像信号Ｖidの
１画素分が供給されたか否かを判別し、この判別結果が「Ｎｏ」であれば、手順を戻して
待機する。バッファー３０２から映像信号Ｖidの１画素分が供給されると、ステップＳ１
の判別結果が「Ｙｅｓ」となるので、ステップＳ２において、判別部３０４は、供給され
た映像信号Ｖidで指定された階調レベルが階調範囲ａに含まれているか否か、換言すれば
、液晶素子の印加電圧でみたときに、映像信号Ｖidで指定された階調レベルの印加電圧Ｖ
が閾値Ｖth1以上であって閾値Ｖth2未満の電圧範囲Ａに含まれているか否か、を判別する
。
この判別結果が「Ｙｅｓ」であれば、判別部３０４は、ステップＳ３において選択部３
０８に対し入力端ａを選択させた後に、ステップＳ４において情報ｆnから第１フィール
ドが指定されているか否かを判別する。この判別結果が「Ｙｅｓ」であれば、判別部３０
４は、ステップＳ５においてＬＵＴ３０６に対し、映像信号Ｖi dを転送するととも、第
１フィールドであること通知する。これにより、当該映像信号Ｖidで指定された階調レベ
ルに対応する値であって、第１フィールドに対応した値がＬＵＴ３０６から読み出される
。
一方、ステップＳ４の判別結果が「Ｎｏ」であれば、それは、当該映像信号Ｖidが第２
フィールドに対応してバッファー３０２から読み出されたものであることを意味する。こ
のため、判別部３０４は、ステップＳ６においてＬＵＴ３０６に対し、映像信号Ｖidを転
送するととも、第２フィールドであること通知する。これにより、当該映像信号Ｖidで指
定された階調レベルに対応する値であって、第２フィールドに対応した値がＬＵＴ３０６
から読み出される。
いずれにしても、映像信号Ｖidで指定される階調レベルが階調範囲ａに含まれる場合、
ステップＳ３において入力端ａがすでに選択されているので、ＬＵＴ３０６から読み出さ
れた値がＤ／Ａ変換器３１０に供給されて、データ信号Ｄxに変換されることになる。
一方、ステップＳ２における判別結果が「Ｎｏ」であれば、判別部３０４は、ステップ
Ｓ７において選択部３０８に対し入力端ｂを選択させる。このため、階調範囲ａに含まれ
ない映像信号Ｖid-inは、階調レベルが置き換わることなく、Ｄ／Ａ変換器３１０に供給
されて、データ信号Ｄxに変換されることになる。
したがって、ＬＵＴ３０６、選択部３０８およびＤ／Ａ変換器３１０によって置換部が
構成されることになる。
【００３２】
このように、映像処理回路３０は、映像信号Ｖidで指定される階調レベルが階調範囲ａ
に含まれる場合、当該階調レベルを、第１フィールドでは階調範囲ｂに含まれる階調レベ
ルに置き換え、第２フィールドでは階調範囲ｃに含まれる階調レベルに置き換えて、置き
換えた階調レベルに応じたデータ信号Ｖxに変換にする一方、映像信号Ｖidで指定される
階調レベルが階調範囲ａに含まれない場合、当該階調レベルを置き換えることなく、当該
階調レベルに応じたデータ信号Ｖxに変換にする。
【００３３】
このため、本実施形態によれば、映像信号Ｖidによって、例えば図８（ａ）に示される
ように、（ｎ−１）フレームにおいて互いに隣接する２画素の双方に対して階調範囲ｂの
階調レベルｂ1（Ｔ：透過率０％）が指定され、次のｎフレームにおいて、例えば左の画
素だけに対して階調範囲ａの階調レベルａi（透過率３０％）が指定された後に、（ｎ＋
１）フレームにおいて左の画素だけに対して階調範囲ｃの階調レベルｃmax（透過率１０
０％）が指定されたとき、左側の画素に対しては、各フレームの第１フィールドおよび第
２フィールドでは、映像信号Ｖid-outは、それぞれ次のような階調レベルに置き換わる。
すなわち、図８（ｂ）に示されるように、当該左側の画素に対する映像データＶid-out
は、（ｎ−１）フレームでは、映像信号Ｖidで指定される階調レベルが階調範囲ｂにある
ので、第１フィールドおよび第２フィールドでは置き換えられず、ｎフレームでは、映像
信号Ｖidで指定される階調レベルが階調範囲ａにあるので、第１フィールドでは階調レベ
ルｂ1に、第２フィールドでは階調レベルｃjに、それぞれ図４を参照して置き換えられ、
（ｎ＋１）フレームでは、映像信号Ｖidで指定される階調レベルが階調範囲ｃにあるので
、第１フィールドおよび第２フィールドでは置き換えられない。
【００３４】
この例では、当該左側の画素に着目すると、（ｎ−１）フレームの第２フィールドから
ｎフレームの第１フィールドにかけて、液晶素子の印加電圧が変化せず、横電界の影響も
受けないので、リバースチルトドメインの発生は抑えられる。次に、ｎフレームの第１フ
ィールドから第２フィールドにかけて、液晶素子の印加電圧が電圧範囲Ｂの電圧（階調レ
ベルｂ1に対応する電圧）から電圧範囲Ｃ（階調レベルｃjに対応する電圧）に変化する。
このときに横電界も発生するが、初期状態におけるプレチルト角によって応答が改善され
ているので、電圧範囲Ｃに含まれる電圧の印加によって多くの液晶分子が縦電界の強度に
応じて速やかに傾斜する。このため、リバースチルトの発生を少ない領域に抑えることが
できる。なお、ｎフレームの第２フィールドから（ｎ＋１）フレームの第１フィールドに
かけて、液晶素子の印加電圧は、階調レベルｃjに対応する電圧から階調レベルｃmaxに対
応する電圧に変化するが、すでに液晶分子は、横電界よりも縦電界が支配的になっている
ので、リバースチルトドメインの発生が抑えられる。
【００３５】
さらにこの例では、当該左側の画素に対し、映像信号Ｖid-outにおいて置き換えられる
階調レベルは、ｎフレームの第１フィールドでは階調レベルｂ1であり、第２フィールド
では階調レベルｃjであるので、液晶素子の透過率は、第１フィールドでは０％となり、
第２フィールドでは６０％となる。このため、ｎフレームにおいて第１フィールドおよび
第２フィールドを通してみたときの平均的な透過率は、３０％となり、映像信号Ｖid（Ｖ
id-in）で指定された値に一致する。したがって、本実施形態によれば、映像信号Ｖid-in
で指定される階調レベルが階調範囲ａに含まれる場合にも、当該階調レベルを液晶パネル
１００で表現することが可能となる。
【００３６】
＜階調範囲ａの意義＞
次に、上述した階調範囲ａの意義について説明する。
まず、液晶パネル１００の表示内容が更新される時間間隔をＳ（ミリ秒）とし、液晶素
子１２０において、液晶分子が初期配向状態（印加電圧がゼロ、透過率が０％の状態）か
ら、ある電圧を印加して当該電圧に応じた配向状態（当該電圧に応じた透過率の状態）と
なるまでの応答時間をＴ（ミリ秒）であるとする。実施形態では、上述したように２倍速
で駆動されるので、時間間隔Ｓは、フレームの半分であるフィールドの８．３５ミリ秒で
ある。このとき、応答時間Ｔが時間間隔Ｓを越える電圧（階調）領域が、電圧範囲Ａ（階
調範囲ａ）とすべき領域となる。この電圧領域に含まれる電圧を、初期配向状態にある液
晶素子に印加しても、その印加電圧による縦電界の応答時間が画素電極の間の横電界によ
る応答時間よりも長くなるため、液晶分子は、縦電界よりも時間的に先に横電界の影響を
受けてしまうからである、
したがって、実際に液晶素子の応答時間Ｔを計測することによって、上記電圧範囲ａを
規定することができる。例えば第１に、初期配向状態から目的とする透過率に変化するま
での応答時間Ｔを、想定する透過率毎に測定する。第２に、測定した応答時間Ｔが、時間
間隔Ｓ（８．３５ミリ秒）を越える透過率範囲を特定する。このとき、特定した透過率範
囲が例えば１０％以上５０％未満の領域であれば、その透過率範囲に相当する範囲が階調
範囲ａであり、当該階調範囲ａに対応する電圧範囲が電圧範囲Ａとなる。この電圧範囲Ａ
の下限および上限を律する値をそれぞれ閾値Ｖth1、Ｖth2とすれば良い。
換言すれば、電圧範囲Ａよりも低い方の電圧範囲Ｂに含まれる電圧、および、電圧範囲
Ａよりも高い方の電圧範囲Ｃに含まれる電圧を、初期配向状態にある液晶素子に印加した
とき、その印加電圧による縦電界の応答時間は、画素電極の間の横電界による応答時間以
下となるので、液晶分子は、横電界よりも時間的に先に縦電界に応じて傾斜する。このた
め、リバースチルト状態になりにくい。
【００３７】
＜実施形態の応用・変形＞
上述した説明において、１フレームを２つのフィールドに分割した２倍速駆動としたが
、フィールドに分割しない等速駆動としても良い。等速駆動であれば、ｎフレームにおい
て映像信号Ｖid-inで指定される階調レベルが階調範囲ａに含まれる場合、ｎフレームに
おいて階調範囲ｂの階調レベルに置き換え、次の（ｎ＋１）フレームにおいて階調範囲ｃ
の階調レベルに置き換える構成すれば良い。この構成では、（ｎ＋１）フレームにおける
映像信号Ｖid-inが基づく情報が液晶パネル１００に反映されないことになるが、リバー
スチルトドメインの発生を抑えることが可能である。また、時間間隔Ｓをフレームに相当
する１６．７ミリ秒に緩和される。
【００３８】
また、上述した説明において、１フレームを２つのフィールドに分割したが、３以上の
フィールドに分けても良い。特に階調範囲ａ（電圧範囲Ａ）の幅によっては、２フィール
ドだけでは、階調範囲ａの階調を再現できない場合も生じ得るが、分割するフィールド数
をより多くすることで、階調範囲ａに含まれる階調をより確かに再現できることになる。
例えば階調範囲ａが透過率でみたときに１０％以上３０％未満である場合、２フィールド
では、１２％の透過率を再現できない。しかし、例えば３つのフィールドに分割するとと
もに、第１フィールドで０％とし、第２フィールドで０％とし、第３フィールドで３６％
とすることによって、１フレームの平均を１２％とすることが可能になる。
１フレームを３以上にフィールドに分割する場合、映像信号Ｖin-inで指定される階調
レベルが階調範囲ａに含まれるのであれば、時間的に前方のフィールドにおいて階調範囲
ｂとし、その後のフィールドにおいて階調範囲ｃに切り替えて、平均でみて、当該映像信
号Ｖin-inで指定される階調レベルが再現されれば良い。
一方で、１フレームを、より多くの数のフィールドに分割すると、上記時間間隔Ｓが短
くなるので、液晶応答が時間間隔Ｓを越える領域の幅が広くなる点に留意する必要がある
。
なお、等速駆動であっても、ｎフレームにおいて映像信号Ｖid-inで指定される階調レ
ベルが階調範囲ａに含まれる場合、ｎフレームにおいて階調範囲ｂの階調レベルに置き換
え、次の（ｎ＋１）フレームにおいて、指定された階調レベルに応じて階調範囲ｂまたは
ｃの階調レベルに置き換え、次の（ｎ＋２）フレームにおいて階調範囲ｃの階調レベルに
置き換える構成とすれば良い。
【００３９】
実施形態において、映像信号Ｖidで指定される階調レベルが階調範囲ａに含まれる場合
に、ＬＵＴ３０６を用いて各フィールドの階調レベルに置き換える構成としたが、例えば
演算回路に、指定される階調レベル（印加電圧）から、置き換える階調レベルを算出する
アルゴリズムを適用し、演算等によって求める構成としても良い。
【００４０】
映像信号Ｖid-inは、画素の階調レベルを指定するものとしたが、液晶素子の印加電圧
を直接的に指定するものとしても良い。映像信号Ｖid-inが液晶素子の印加電圧を指定す
る場合、指定される印加電圧で電圧範囲を判別して、電圧に置き換える構成とすれば良い
。
また、液晶素子１２０は、透過型に限られず、反射型であっても良い。さらに、液晶素
子１２０は、ノーマリーブラックモードに限られず、例えばＴＮ方式として、電圧無印加
時において液晶素子１２０が白状態となるノーマリーホワイトモードとしても良い。ノー
マリーホワイトモードとしたとき、液晶素子１２０の印加電圧と透過率との関係は、図７
（ｂ）に示されるようなＶ−Ｔ特性で表され、印加電圧が高くなるにつれて透過率が減少
する。このため、ノーマリーホワイトモードでは、階調レベルの明暗と印加電圧の高低と
の関係が、ノーマリーブラックモードと逆転するが、影響を受ける電圧範囲に変わりはな
い。
【００４１】
＜電子機器＞
次に、上述した実施形態に係る液晶表示装置を用いた電子機器の一例として、液晶パネ
ル１００をライトバルブとして用いた投射型表示装置（プロジェクター）について説明す
る。図９は、このプロジェクターの構成を示す平面図である。
この図に示されるように、プロジェクター２１００の内部には、ハロゲンランプ等の白
色光源からなるランプユニット２１０２が設けられている。このランプユニット２１０２
から射出された投射光は、内部に配置された３枚のミラー２１０６および２枚のダイクロ
イックミラー２１０８によってＲ（赤）色、Ｇ（緑）色、Ｂ（青）色の３原色に分離され
て、各原色に対応するライトバルブ１００Ｒ、１００Ｇおよび１００Ｂにそれぞれ導かれ
る。なお、Ｂ色の光は、他のＲ色やＧ色と比較すると、光路が長いので、その損失を防ぐ
ために、入射レンズ２１２２、リレーレンズ２１２３および出射レンズ２１２４からなる
リレーレンズ系２１２１を介して導かれる。
【００４２】
このプロジェクター２１００では、液晶パネル１００を含む液晶表示装置が、Ｒ色、Ｇ
色、Ｂ色のそれぞれに対応して３組設けられる。ライトバルブ１００Ｒ、１００Ｇおよび
１００Ｂの構成は、上述した液晶パネル１００と同様である。Ｒ色、Ｇ色、Ｂ色のそれぞ
れの原色成分の階調レベルを指定するに映像信号がそれぞれ外部上位回路から供給されて
、ライトバルブ１００Ｒ、１００Ｇおよび１００がそれぞれ駆動される構成となっている
。ライトバルブ１００Ｒ、１００Ｇ、１００Ｂによってそれぞれ変調された光は、ダイク
ロイックプリズム２１１２に３方向から入射する。そして、このダイクロイックプリズム
２１１２において、Ｒ色およびＢ色の光は９０度に屈折する一方、Ｇ色の光は直進する。
したがって、各原色の画像が合成された後、スクリーン２１２０には、投射レンズ群２１
１４によってカラー画像が投射されることとなる。
【００４３】
なお、ライトバルブ１００Ｒ、１００Ｇおよび１００Ｂには、ダイクロイックミラー２
１０８によって、Ｒ色、Ｇ色、Ｂ色のそれぞれに対応する光が入射するので、カラーフィ
ルタを設ける必要はない。また、ライトバルブ１００Ｒ、１００Ｂの透過像は、ダイクロ
イックプリズム２１１２により反射した後に投射されるのに対し、ライトバルブ１００Ｇ
の透過像はそのまま投射されるので、ライトバルブ１００Ｒ、１００Ｂによる水平走査方
向は、ライトバルブ１００Ｇによる水平走査方向と逆向きにして、水平方向の左右を反転
させた像を表示する構成となっている。
【００４４】
液晶パネル１００をライトバルブに用いる例としては、図９を参照して説明したプロジ
ェクターの他にも、リヤプロジェクション型のテレビジョンが挙げられる。また、液晶パ
ネル１００については、ミラーレスのレンズ交換式のデジタルカメラや、ビデオカメラな
どにおける電子ビューファインダー（ＥＶＦ）にも適用可能である。
このほかにも、適用可能な電子機器として、ヘッドマウントディスプレイや、カーナビ
ゲーション装置、ページャー、電子手帳、電卓、ワードプロセッサー、ワークステーショ
ン、テレビ電話、ＰＯＳ端末、デジタルスチルカメラ、携帯電話機、タッチパネルを備え
た機器等などが挙げられる。そして、これらの各種の電子機器に対して、上記液晶表示装
置が適用可能なのは言うまでもない。
【符号の説明】
【００４５】
１…液晶表示装置、３０…映像処理回路、１００…液晶パネル、１００ａ…素子基板、１
００ｂ…対向基板、１０５…液晶、１０８…コモン電極、１１８…画素電極、１２０…液
晶素子、３０２…バッファー、３０４…判別部、３０６…ＬＵＴ、３０８…選択部、３１
０…Ｄ／Ａ変換器、２１００…プロジェクター
【図１】
2011107497.tif 000003
【図２】
2011107497.tif 000004
【図３】
2011107497.tif 000005
【図４】
2011107497.tif 000006
【図５】
2011107497.tif 000007
【図６】
2011107497.tif 000008
【図７】
2011107497.tif 000009
【図８】
2011107497.tif 000010
【図９】
2011107497.tif 000011
【図１０】
2011107497.tif 000012
【図１１】
2011107497.tif 000013
【図１２】
2011107497.tif 000014
【図１３】
2011107497.tif 000015